(57)【要約】 【課題】簡単かつ確実に書類ファイルをファイルホルダーに収納することができる書類ファイルの収納構造を提供提供する。【解決手段】書類ファイル５の縦方向一端縁部に、水平方向に進入する第１の切欠溝７を所定間隔を存して上下位置に複数穿設し、かつ該第１の切欠溝７の溝端７ａ位置から、それぞれ垂直方向に進入する第２の切欠溝８を穿設してＬ字状をなす係止溝９を形成すると共に、上記係止溝９の溝幅より狭幅で対向する突起部位１０を、各係止溝９に沿う所定間隔位置に複数形成し、ファイルホルダー１内に書類ファイル５を収納する際に、ファイルホルダー１側の係止杆２、２に当該各係止溝９、９をそれぞれ係止させるように構成した。 【選択図】図５
2007076338.tif 000002
【特許請求の範囲】
【請求項１】
複数の係止杆を、上下方向に所定間隔を存して設けてなるファイルホルダーと、
複数の係止溝を、上下方向に所定間隔を存して設けてなる書類ファイルと、
からなる書類ファイルの収納構造であって、
各係止溝は、書類ファイルの側縁から水平方向に延出する第１切欠溝と、第１切欠溝の溝端から垂直方向に延出する第２切欠溝とからなり、
係止溝に狭幅部を形成する突起部位を、少なくとも第２切欠溝の上側の溝端下方に設けてなる、書類ファイルの収納構造。
【請求項２】
前記突起部位を、係止溝に沿う所定間隔位置に複数設けてなる、請求項１に記載の書類ファイルの収納構造。
【請求項３】
前記突起部位は、係止溝内に対向状に突出している、請求項１，２いずれかに記載の書類ファイルの収納構造。
【請求項４】
ファイルホルダーに対して着脱可能な書類ファイルを、書類ファイル本体と、書類ファイル本体の基端側の基端側面部と、から構成し、
前記基端側面部には、複数の係止溝が、上下方向に所定間隔を存して設けてあり、
各係止溝は、基端側面部の側縁から水平方向に延出する第１切欠溝と、第１切欠溝の溝端から垂直方向に延出する第２切欠溝とからなり、
係止溝に狭幅部を形成する突起部位を、少なくとも第２切欠溝の上側の溝端下方に設けてなる、書類ファイル。
【請求項５】
前記突起部位を、係止溝に沿う所定間隔位置に複数設けてなる、請求項４に記載の書類ファイル。
【請求項６】
前記突起部位は、係止溝内に対向状に突出している、請求項４，５いずれかに記載の書類ファイル。
【請求項７】
前記書類ファイル本体は、書類の収納部である、請求項４乃至６いずれかに記載の書類ファイル。
【請求項８】
前記基端側面部は、書類ファイル本体とは別体の書類ファイル用係止具から構成されている、請求項６，７いずれかに記載の書類ファイル。
【請求項９】
前記書類ファイル用係止具は、書類ファイル本体に対して着脱自在である、請求項８に記載の書類ファイル。
【請求項１０】
板状の書類ファイル用係止具であって、
前記係止具は、幅方向一端側を介して書類ファイルあるいは書類の側部に装着可能に構成されており、
前記係止具の他端側には、複数の係止溝が、上下方向に所定間隔を存して設けてあり、
各係止溝は、前記他端側の側縁から水平方向に延出する第１切欠溝と、第１切欠溝の溝端位置から垂直方向に延出する第２切欠溝とからなり、
係止溝に狭幅部を形成する突起部位を、少なくとも第２切欠溝の上側の溝端下方に設けてなる、書類ファイル用係止具。
【請求項１１】
前記突起部位を、係止溝に沿う所定間隔位置に複数設けてなる、請求項１１に記載の書類ファイル用係止具。
【請求項１２】
前記突起部位は、係止溝内に対向状に突出している、請求項１０，１１いずれかに記載の書類ファイル用係止具。
【発明の詳細な説明】
【技術分野】
【０００１】
本発明は書類ファイルの収納手段に係り、詳しくは、構成部材の簡略化を図りつつ、書類の整理や閲覧のための抜き差し作業を簡単に行うことができ、また、低コストで製造・販売することができる書類ファイルの収納手段に関する。 
【背景技術】
【０００２】
従来より、書類の端縁に二つ以上の綴じ穴を設けて当該書類を綴じ込むことのできるファイルホルダーは、日本では日本工業規格および日本ファイル・バインダー協会（Ｆｉｌｅ  ＆  Ｂｉｎｄｅｒ  Ａｓｓｏｃｉａｔｉｏｎ  Ｊａｐａｎ）が定めたＦＢＡ規格に基づいて、製品の形状呼称、種類、寸法、綴じ穴の位置および寸法が定められ、書類の用紙サイズやファイルホルダーのメーカーが異なっていても、共通に使用できるようになっており、この種のファイルホルダーとしては、表裏の表紙と背表紙を一体形成した表紙部の内部に綴じ具を設け、該綴じ具の解放、閉鎖することにより、関係する書類の整理や綴じ込み・取り外しを行い、また綴じ込んだ状態での書類の閲覧が行えるものが一般に知られている。
【０００３】
しかしながら、上述のような綴じ具を採用するファイルホルダーの構成では、書類の綴じ込みを行う際に、いちいち綴じ具の解放、閉鎖を行う必要があるばかりでなく、一旦綴じた書類の中から一部の書類を取り出したい場合には、当該書類を綴じた後に追加で綴じた書類を全て取り外してからでないと所望の書類を取り出すことができず、その後に残りの書類全てを順番を崩さずに綴じ直す、という煩わしい作業を余儀なくされ、総じてファイルホルダーに収納した後の書類の再利用に関して配慮されていないのが実状であった。
【０００４】
そこで、直角辺と傾斜辺からなる開口を綴じ穴に連通させた止め具の構成（特許文献１）や、二つ折りした書類の折り目を、上綴じ具の垂下片と下綴じ具の直立片で係止するファイルの構成（特許文献２）が提案されている。
【特許文献１】特開平１１−１２９６６５号公報
【特許文献２】登録実用新案第３０１１５１４号公報
【０００５】
上記各提案のものでは、ファイルホルダーへの書類の綴じ込み・取り外しを容易に行えるようになるものの、前者の構成は、切り込みを綴じ穴に直接入れているため、書類の綴じ込み・取り外しを繰り返し行うと当該切り込み部分が拡開して緩くなり、書類に形成された綴じ穴回りの損傷を誘発して、意図しない書類の抜き出しが発生する不具合を有するものであり、また後者の構成では、書類を二つ折りにすることが前提であるため、綴じ込みできる書類が限定されるうえ、ファイルホルダー側に特殊な綴じ具構造を必要とするものであった。
【発明の開示】
【発明が解決しようとする課題】
【０００６】
本発明は、上記のような実状に鑑みファイルホルダーへの書類の綴じ込み・取り外しの利便性を追求する研究、開発の過程で創案されたものであって、その意図するところは、書類ファイルを「綴じるのではなく、係止させる」という全く新規な着想に基づいて、簡単かつ確実に書類ファイルをファイルホルダーに収納することができる書類ファイルの収納手段を提供しようとするものである。 
【課題を解決するための手段】
【０００７】
本発明が採用した第１の技術手段は、複数の水平状の係止杆を、上下方向に所定間隔を存して設けてなるファイルホルダーと、複数の係止溝を、上下方向に所定間隔を存して設けてなる書類ファイルと、からなる書類ファイルの収納構造であって、係止溝は、書類ファイルの側縁から水平方向に延出する第１切欠溝と、第１切欠溝の溝端から垂直方向に延出する第２切欠溝とからなり、係止溝に狭幅部を形成する突起部位を、少なくとも第２切欠溝の上側の溝端下方に設けてなる。
【０００８】
本発明が採用した第２の技術手段は、ファイルホルダーに対して着脱可能な書類ファイルを、書類ファイル本体と、書類ファイル本体の基端側の基端側面部と、から構成し、基端側面部には、複数の係止溝が、上下方向に所定間隔を存して設けてあり、各係止溝は、前記係止具の側縁から水平方向に延出する第１切欠溝と、第１切欠溝の溝端から垂直方向に延出する第２切欠溝とからなり、係止溝に狭幅部を形成する突起部位を、少なくとも第２切欠溝の上側の溝端下方に設けてなる、書類ファイルである。
【０００９】
本発明が採用した第３の技術手段は、板状の書類ファイル用係止具であって、前記係止具は、幅方向一端側を介して書類ファイルあるいは書類の側部に装着可能に構成されており、前記係止具の他端側には、複数の係止溝が、上下方向に所定間隔を存して設けてあり、各係止溝は、前記係止具の側縁から水平方向に延出する第１切欠溝と、第１切欠溝の溝端位置から垂直方向に延出する第２切欠溝とからなり、係止溝に狭幅部を形成する突起部位を、少なくとも第２切欠溝の上側の溝端下方に設けてなる、書類ファイル用係止具である。書類ファイル用係止具は、必ずしも、書類ファイルや書類の上下寸法と同じ寸法を有していなくてもよく、書類ファイルに比べて短尺部材であってもよい。
【００１０】
上記技術手段において、第２切欠溝に設けた前記突起部位の上側の第２切欠溝の溝端にファイルホルダーの係止杆を係止させる。好ましい態様では、前記突起部位とその直上に位置する第２切欠溝の溝端との間に形成される空間は、係止杆がフィットするような寸法・形状を有している。好ましくは、前記突起部位を、係止溝に沿う所定間隔位置に複数設ける。こうすることで、書類ファイルの挿脱途中であることを、各突起部位での引っ掛かり感覚で使用者に意識させることができ、また、不完全な係止状態でも抜け止めができるという利点を有する。第１切欠溝、第２切欠溝全体に亘って所定間隔で突起部位を設けることが望ましいが、第２切欠溝のみに複数の突起部位を設けてもよいし、あるいは、第１切欠溝に複数の突起部位を設け、第２切欠溝に１つの突起部位を設けてもよい。好ましくは、前記突起部位は、係止溝内に対向状に突出する対向状突起部位である。
【００１１】
１つの態様では、前記書類ファイルは、複数の係止溝を備えた基端側面部と、書類ファイル本体と、からなり、さらなる態様では、前記書類ファイル本体は、書類の収納部（例えば、袋状部）である。他の態様では、書類ファイル本体は、書類である。１つの態様では、前記基端側面部は、書類ファイル本体とは別体の書類ファイル用係止具から構成されている。好ましくは、前記書類ファイル用係止具は、書類ファイル本体に対して着脱自在である。
【発明の効果】
【００１２】
本発明によれば、簡単な構成でありながら、Ｌ字状をなす係止溝により容易かつ確実に書類ファイルをファイルホルダーに係止させることができ、また収納された書類ファイルを垂直に引き上げた後に水平方向に引き出せば、所望の書類ファイルをファイルホルダーから簡単に取り出すことができると共に、書類ファイルの収納位置の入れ替えも簡単に行えるので、書類の整理や再利用の利便性を向上させることができ、もって従来のような綴じ具の煩わしい解放、閉鎖の操作を伴うことなく、効率良くファイルホルダーを使用することができる。書類ファイルの係止溝を、国際規格およびこれに準ずる日本工業規格で規定された綴じ穴位置間隔で形成することで、従来型の開放、閉鎖の綴じ具構造を採用する既存のファイルホルダーにも、そのまま書類ファイルを係止させることができ、書類ファイルの汎用性を広く確保することができる。
【発明を実施するための最良の形態】
【００１３】
本発明は、上下方向に所定間隔を存して複数の係止杆２を備えたファイルホルダー１と、上下方向に所定間隔を存して複数の係止溝９を備えた書類ファイル５と、からなる書類ファイルの収納構造に係る。１つの態様では、ファイルホルダー１は、背表紙１ａの幅方向両側に表表紙１ｂと裏表紙１ｃをそれぞれ設けてなり、ファイルホルダー１内に、複数の係止杆２を上下方向に所定間隔を存して水平状に並設し、各係止杆２を介して書類ファイル５をファイルホルダー１内に収納する。書類ファイル５の縦方向一端縁部に、水平方向に進入する第１の切欠溝７を所定間隔を存して上下位置に複数穿設し、かつ該第１の切欠溝７の溝端７ａ位置から、それぞれ垂直方向に進入する第２の切欠溝８を穿設してＬ字状をなす係止溝９を形成すると共に、上記係止溝９の溝幅より狭幅で対向する突起部位１０を、各係止溝９に沿う所定間隔位置に複数形成し、ファイルホルダー１内に書類ファイル５を収納する際に、ファイルホルダー１側の係止杆２、２に当該各係止溝９、９をそれぞれ係止させるように構成した。
【００１４】
１つの好ましい態様では、上記書類ファイルは、Ｌ字状をなす係止溝を複数形成した基端側面部と、この基端側面部の先端縁から一体に延出して、国際規格およびこれに準ずる日本工業規格の用紙サイズで規定された書類の収納域を有する袋状部とからなる。 
【００１５】
１つの好ましい態様では、上記書類ファイルは、Ｌ字状をなす係止溝を複数形成した基端側面部の先端縁に、国際規格およびこれに準ずる日本工業規格の用紙サイズで規定された書類の収納域を有する別体の袋状部を貼着して構成されている。 
【００１６】
１つの好ましい態様では、上記書類ファイルは、Ｌ字状をなす係止溝を複数形成した基端側面部の先端縁側に、国際規格およびこれに準ずる日本工業規格の用紙サイズで規定された書類の一端縁を直接挟持する支持構造を有して構成されている。 
【００１７】
１つの好ましい態様では、上記書類ファイルは、国際規格およびこれに準ずる日本工業規格で規定された綴じ穴位置間隔で複数の係止溝が形成されている。
【実施例１】
【００１８】
本発明の構成を、添付図面に基づいて詳細に説明する。 図１および図２において、１はファイルホルダーであって、該ファイルホルダー１は、細長い長方形状の平面部からなる背表紙１ａの幅方向両側に、表表紙１ｂおよび裏表紙１ｃを連設して構成されていると共に、上記背表紙１ａの裏面には、一対の係止杆２、２を上下方向に所定間隔を存して水平状に並設した係止金具３がリベット４、４…を介して固定されており、この係止具３の係止杆２、２に複数の書類ファイル５、５…を収納するように構成されている。 
【００１９】
係止金具３は、図３（ａ）〜（ｃ）に示すように、断面コ字形に形成したベース３ａの両立上り辺３ｂ、３ｂに、一対をなす棒状の係止杆２、２を上下方向に所定間隔（本実施例では、２穴（ＪＩＳ  Ｓ  ６０４１）の規定により軸間距離８０±０.５ｍｍ）を存して水平状に跨設して構成されていると共に、上記係止金具３の上方位置には、図４（ａ）、（ｂ）に示すように、書類ファイル５、５…の上方への抜け出しを規制するストッパ６が配設されており、該ストッパ６の規制面６ａを基部６ｂに対して上方に回動することにより、抜け出し規制の解除が行なえるようになっている。
【００２０】
なお、上記係止具３は、図３（ｄ）〜（ｆ）に示すように、アーチ形に曲成した係止杆２ａ、２ａをベース３ａに固設する構成としても良く、またストッパ６も図４（ｃ）〜（ｆ）に示すように、断面コ字形に形成したストッパ６を、表表紙１ｂと裏表紙１ｃの外面間に跨設して、その解放、閉鎖の操作により抜け出しの規制およびその解除を行う構成、あるいは表表紙１ｂと裏表紙１ｃの内面間に、着離自在な布製テープからなるストッパ６を配設し、その解放、閉鎖で抜け出しの規制およびその解除を行うように構成しても良い。
【００２１】
前記書類ファイル５、５…は、図５（ａ）、（ｂ）および図６（ａ）に示すように、基端側面部５ａと、その先端縁から一体に延出して上縁部のみが開放された袋状部５ｂとからなり、上記基端側面部５ａから水平方向に進入する第１の切欠溝７、７を所定間隔（２穴（ＪＩＳ  Ｓ  ６０４１）の規定による８０±０.５ｍｍ）を存して上下位置に複数穿設し、かつ該第１の切欠溝７、７の溝端７ａ、７ａ位置から、それぞれ垂直方向に進入する第２の切欠溝８、８を穿設してＬ字状をなす係止溝９、９を形成すると共に、上記係止溝９、９の溝幅Ｌ、Ｌより狭幅Ｌ´、Ｌ´で対向する突起部位１０、１０…を、各係止溝９、９に沿う所定間隔位置に複数形成し、ファイルホルダー１内に書類ファイル５、５…を収納する際に、ファイルホルダー１側の係止杆２、２に当該各係止溝９、９をそれぞれ係止させるように構成されている。基面側面部５aの材質としては、合成樹脂、紙（ボール紙、厚紙）が例示される。
【００２２】
上記の係止溝９、９は、上述の形状に限定されるものではなく、図６（ｂ）に示すように、第２の切欠溝８の溝端８ａのみを基端側面部５ａの端縁側に偏倚させた構成としても良く、また同図（ｃ）に示すように、基端側面部５ａから水平方向に進入する第１の切欠溝７の切り込み始端に、狭幅Ｌ´で対向する突起部位１０を設ける構成としても良い。更に、図６（ｄ）、（ｅ）に示すように、第１および第２の切欠溝７、８の溝長を変更したり、等幅で形成した第１および第２の切欠溝７´、８´に対して狭幅Ｌ´、Ｌ´で対向する突起部位１０´、１０´…を所定間隔を存して形成する構成としても良い。
【００２３】
叙上のような構成において、書類ファイル５、５…をファイルホルダー１に収納する場合には、図７および図８に示すように、まず、書類ファイル５の基端側面部５ａに形成した係止溝９、９を、係止具３の係止杆２、２に向けて水平に合わせ、次いで当該各係止溝９、９の第１の切欠溝７、７に係止杆２、２を進入させる。そして、切欠溝７、７に形成した突起部位１０、１０…の変形を伴いながら、係止杆２、２が溝端７ａまで到達した時点で書類ファイル５を垂直に押し込むと、第２の切欠溝８、８に沿って形成した突起部位１０、１０…の変形と共に上記係止杆２、２が溝端８ａに到達し、書類ファイル５のファイルホルダー１への収納が完了する。 
【００２４】
このように、ファイルホルダー１への収納が完了した書類ファイル５では、水平方向の力が作用した場合にも、係止杆２、２が係止溝９、９の第２の切欠溝８に強固に係止されているので、不用意な抜け出しを未然に防止することができ、また、書類ファイル５に対して垂直方向の力が不用意に作用しても、第１の切欠溝７の溝端７ａに係止杆２、２が当接するので、突起部位１０、１０との協働で係止杆２、２の抜け出しが未然に防止されることになる。
【００２５】
したがって極めて簡単な構成でありながら、Ｌ字状をなす係止溝９、９により容易かつ確実に書類ファイル５、５…をファイルホルダー１に係止させることができ、また収納された書類ファイル５、５…は、垂直方向に引き上げた後に水平方向に引き出す、という操作者が意識して力を加える簡単な操作で、所望の書類ファイル５のみをファイルホルダー１から簡単に取り出すことができ、書類ファイル５、５…の収納位置の入れ替えも簡単に行えるので、書類ファイル５の整理や再利用の利便性を向上させることができる。
【００２６】
加えて、書類ファイル５の係止溝９、９は、８０±０.５ｍｍの綴じ穴位置間隔で上下位置に形成されているので、本実施例で示した係止具３を採用するファイルホルダー１のみならず、従来型の開放、閉鎖の綴じ具構造を採用する既存のファイルホルダーにもそのまま係止させることができ、書類ファイル５の汎用性を広く確保することができる。
【００２７】
図９は、ＦＢＡ規格で規定された４穴の綴じ穴に対応する書類ファイル５´を示すものであって、この場合には、４つの係止溝９、９…の間隔は４２ｍｍまたは４０ｍｍとなり、また図示しないが、３穴の綴じ穴に対応する書類ファイルでは、係止溝９、９…の間隔は７０ｍｍまたは１０８ｍｍとなる。
【００２８】
図１０は、基端側面部１１ａと、上縁部のみが開放された別体の袋状部１１ｂとからなる書類ファイル１１を示し、上記基端側面部１１ａには、段差部を有して形成した一面部１１ｃに両面テープＡが貼着されており、この両面テープＡの貼着面に袋状部１１ｂの基端側縁を貼り付けて書類ファイル１１が形成される。この場合に、例えば資料の収集中においては、別体の袋状部１１ｂに種類や目的別に資料を入れておき、収集が完了した時点で上記の基端側面部１１ａに袋状部１１を貼着すれば、資料の整理、管理を効率良く行うことが可能になる。
【実施例２】
【００２９】
図１１は、基端側面部１２ａと、上縁部のみが開放された別体の袋状部１２ｂとからなる書類ファイル１２を示し、上記基端側面部１２ａには、その一面側１２ｃに段差部を介して両面テープＡが貼着されており、同図（ｂ）、（ｃ）に示すように、展開した基端側面部１２ａの幅方向中央位置で二つ折りし、この両面テープＡの貼着面間に袋状部１２ｂを狭着することにより係止溝９、９を備えた書類ファイル１２が形成されることになる。この場合にも前記と同様に資料の整理、管理が効率良く行える。
【実施例３】
【００３０】
図１２は、基端側面部１３ａと、上縁部および一側縁部が開放された別体の袋状部１３ｂとからなる書類ファイル１３を示し、上記基端側面部１３ａの表裏に形成された面部１３ｃ、１３ｃには段差部を介して両面テープＡがそれぞれ貼着されており、上記面部１３ｃ、１３ｃを袋状部１３ｂの開放された一側縁部の内面にそれぞれ貼着することにより係止溝９、９を備えた書類ファイル１３を形成する構成となっている。
【実施例４】
【００３１】
図１３は、展開した基端側面部１４ａの一面側に両面テープＡを貼着し、かつ当該基端側面部１４ａの幅方向中央位置で二つ折りすると共に、幅方向中央位置で縦方向に延出する折目線を挟んで係止溝９、９を形成するためのミシン目Ｂ、Ｂを刻設した構成を示し、この場合には、展開した基端側面部１４ａを幅方向中央位置で二つ折りし、両面テープＡの貼着面間に書類Ｃの端縁を直接狭着した後に、上記ミシン目Ｂ、Ｂを除去することにより、係止溝９、９を備えた書類ファイル１４が形成される。
【実施例５】
【００３２】
図１４は、展開した基端側面部１５ａの幅方向中央位置で縦方向に延出する仮想線で隔てられる左右側面に、それぞれ複数の凸部１５ｂと凹部１５ｃを所定間隔を存して一体形成し、基端側面部１５ａを、前記仮想線を折り目として二つ折りする際に、書類Ｃの端縁を直接狭着した状態で、上記凸部１５ｂを凹部１５ｃに嵌着させると、当該書類Ｃの端縁がこれを貫通する凸部１５ｂ、１５ｂ…により基端側面部１５ａ内に挟持されて書類ファイル１５を構成するものである。
【実施例６】
【００３３】
図１５は、面クリップ状に構成した基端側面部１６に係止溝９、９を備えた場合を示すものであって、このように構成すれば、基端側面部１６の端縁に形成した挟み口部１６ａに対する書類Ｃの抜き差しを直接行えるので、ファイルホルダーへの書類Ｃの一時的な収納や、書類ファイルＣ自体に加工、変形を施したくない場合に便利に使用することができるようになる。
【実施例７】
【００３４】
図１６および図１７は、係止溝９、９を形成した基面部１７ａと、書類Ｃの端縁を挟む溝部１８を形成した挟持部１７ｂで基端側面部１７を構成した場合を示すものであって、図１６では、溝部１８の内面に両面テープＡを貼着し、挟持部１７ｂを拡開した状態で、当該両面テープＡの剥離紙を剥がして書類Ｃの端縁を挟持部１７ｂに固定するようになっており、図１７では、溝部１８の内部を貫通する複数の凸部１５ｂと凹部１５ｃを所定間隔を存して挟持部１７ｂに一体形成し、書類Ｃの端縁を直接溝部１８内に狭着した状態で、上記凸部１５ｂを凹部１５ｃに嵌着させる構成となっている。
【００３５】
なお、上述した図１６の構成では、図１８に示すように、溝部１８の内面に両面テープＡを貼着しないで、該溝部１８に書類Ｃの端縁を差し込み、挟持部１７ｂの表裏を、ステープラー１９によりステープル１９ａ、１９ａ…で固定するように構成しても良い。
【産業上の利用可能性】
【００３６】
従来から「綴じる」ことを前提とした書類全般に対して幅広く有効に適用することが可能となる。 
【図面の簡単な説明】
【００３７】
【図１】ファイルホルダーの全体斜視図である。
【図２】拡開したファイルホルダー内を示す全体斜視図である。
【図３】（ａ）は係止具の平面図、（ｂ）は同上正面図、（ｃ）は同上右側面図、（ｄ）は係止具の他例における平面図、（ｅ）は同上正面図、（ｆ）は同上右側面図である。
【図４】（ａ）、（ｂ）はストッパの説明図、（ｃ）、（ｄ）は他例のストッパの説明図、（ｅ）、（ｆ）は他例のストッパの説明図である。
【図５】（ａ）は書類ファイルの平面図、（ｂ）は同上正面図である。
【図６】（ａ）は係止溝の拡大図、（ｂ）〜（ｅ）は他例の係止溝の拡大図である。
【図７】（ａ）〜（ｄ）は係止具への書類ファイルの係止手順を示す作用説明図である。
【図８】（ａ）〜（ｈ）は係止杆と係止溝との位置関係を示す作用説明図である。
【図９】（ａ）は他の構成を示す書類ファイルの平面図、（ｂ）は同上正面図である。
【図１０】（ａ）は他の構成を示す書類ファイルの平面図、（ｂ）は同上正面図である。
【図１１】（ａ）は他の構成を示す基端側面部の平面図、（ｂ）は同上正面図、（ｃ）は書類ファイルの平面図、（ｄ）は折り込まれた基端側面部の斜視図である。
【図１２】（ａ）は他の構成を示す書類ファイルの説明図、（ｂ）は同上正面図である。
【図１３】（ａ）は他の構成を示す基端側面部の平面図、（ｂ）は同上正面図、（ｃ）はミシン目の拡大図、（ｄ）、（ｅ）は作用説明図である。
【図１４】（ａ）は他の構成を示す基端側面部の平面図、（ｂ）は同上正面図、（ｃ）〜（ｅ）は作用説明図である。
【図１５】他の構成を示す作用説明図である。
【図１６】（ａ）は他の構成を示す基端側面部の平面図、（ｂ）は同上正面図、（ｃ）は作用説明図、（ｄ）は書類を固定した基端側面部の斜視図である。
【図１７】（ａ）は他の構成を示す基端側面部の平面図、（ｂ）は同上正面図、（ｃ）は作用説明図、（ｄ）は書類を固定した基端側面部の斜視図である。
【図１８】他の構成を示す作用説明図である。
【符号の説明】
【００３８】
１      ファイルホルダー 
１ａ    背表紙 
１ｂ    表表紙 
１ｃ    裏表紙 
２      係止杆 
５      書類ファイル 
５ａ    基端側面部 
５ｂ    袋状部 
７      第１の切欠溝 
７ａ    溝端 
８      第２の切欠溝 
８ａ    溝端 
９      係止溝 
１０    突起部位 
１０´  突起部位 
Ｃ      書類 
【図１】
2007076338.tif 000003
【図２】
2007076338.tif 000004
【図３】
2007076338.tif 000005
【図４】
2007076338.tif 000006
【図５】
2007076338.tif 000007
【図６】
2007076338.tif 000008
【図７】
2007076338.tif 000009
【図８】
2007076338.tif 000010
【図９】
2007076338.tif 000011
【図１０】
2007076338.tif 000012
【図１１】
2007076338.tif 000013
【図１２】
2007076338.tif 000014
【図１３】
2007076338.tif 000015
【図１４】
2007076338.tif 000016
【図１５】
2007076338.tif 000017
【図１６】
2007076338.tif 000018
【図１７】
2007076338.tif 000019
【図１８】
2007076338.tif 000020